【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
カートリッジを保持するカートリッジトレイを受け入れる、トレイ支持構造；
前記カートリッジトレイ内の１バッチのカートリッジの各々のカートリッジ中に粉体を分注する粉体ディスペンサモジュールを含む、粉体ディスペンサアセンブリ；
前記粉体ディスペンサモジュールに粉体を配送する、粉体移送システム；
前記１バッチのカートリッジのそれぞれのカートリッジの各々の充填状態を検知する複数のセンサセルを含む、センサモジュール；および
前記１バッチのカートリッジ内のそれぞれのカートリッジの、各々の検知された充填状態に応答して前記粉体ディスペンサモジュールを制御する、制御システム
を含む、粉体分注検知装置。
【請求項２】
粉体ディスペンサモジュールおよび粉体配送システムが、１バッチのカートリッジに粉体を同時に分注するように構成されている、請求項１に記載の粉体分注検知装置。
【請求項３】
センサセルが、１バッチのカートリッジ内のそれぞれのカートリッジの充填状態を同時に検知するように構成されている、請求項１に記載の粉体分注検知装置。
【請求項４】
センサセルが重量センサセルを含む、請求項３に記載の粉体分注検知装置。
【請求項５】
粉体ディスペンサモジュール、センサセルおよび制御システムが、それぞれのカートリッジの充填状態を１００％検知および制御するために構成されている、請求項１に記載の粉体分注検知装置。
【請求項６】
カートリッジトレイが、行と列の２次元配列でカートリッジを支持するように構成されている、請求項１に記載の粉体分注検知装置。
【請求項７】
粉体ディスペンサモジュール、粉体移送システムおよびセンサセルが、１バッチのカートリッジに粉体を同時に分注するとともに、１バッチのカートリッジ内のそれぞれのカートリッジの充填状態を検知するように構成されている、請求項１に記載の粉体分注検知装置。
【請求項８】
粉体移送システムが、移送ガスを移動させるブロワーアセンブリ、および粉体ディスペンサアセンブリに粉体を配送する粉体エアレーターを含む、請求項１に記載の粉体分注検知装置。
【請求項９】
粉体移送システムがマニホルドを含み、該マニホルドが、粉体ディスペンサアセンブリからの移送ガスをブロワーアセンブリに結合して、閉ループ再循環ガス移送システムを形成する、請求項８に記載の粉体分注検知装置。
【請求項１０】
粉体移送システムが、移送ガス調整システムを含む、請求項８に記載の粉体分注検知装置。
【請求項１１】
それぞれの粉体ディスペンサモジュールが、粉体移送システムから粉体を受け入れるための粉体取入口、粉体取出口、および前記粉体取入口と前記粉体取出口を接続する粉体配送導管を画定するハウジングと、前記導管を通過して前記粉体取出口に粉体を移動させるフィード機構とを含む、請求項１に記載の粉体分注検知装置。
【請求項１２】
フィード機構が、導管を通過して粉体を移動させるフィードウォンド、該フィードウォンドを動作させるアクチュエータ、取出口を制御するバルブ、および該バルブを動作させるアクチュエータを含む、請求項１１に記載の粉体分注検知装置。
【請求項１３】
粉体配送導管が、粉体取入口の下方の粉体床調製ゾーン、該粉体床調製ゾーンの下方の粉体床圧縮ゾーン、および該粉体床圧縮ゾーンの下方の粉体排出ゾーンを含む、請求項１２に記載の粉体分注検知装置。
【請求項１４】
フィードウォンドが、導管の粉体排出ゾーン内に、シャフト、および該シャフトに取り付けられた排出要素を含む、請求項１２に記載の粉体分注検知装置。
【請求項１５】
少なくとも１つのオリフィスを有して、粉体取出口に隣接して配置されたオリフィス要素をさらに含み、ウォンドアクチュエータが、前記オリフィス要素に対して排出要素を回転させる、請求項１４に記載の粉体分注検知装置。
【請求項１６】
排出要素が、オリフィス要素に隣接して位置するローラーピンと、該ローラーピンとフィードウォンドのシャフトとの間に結合された支持部材を含み、ウォンドアクチュエータが、前記オリフィス要素に対して前記ローラーピンを回転させる、請求項１５に記載の粉体分注検知装置。
【請求項１７】
排出要素が、フィードウォンドのシャフトに結合されたオーガを含み、ウォンドアクチュエータが、オリフィス要素に対して前記オーガを回転させる、請求項１５に記載の粉体分注検知装置。
【請求項１８】
フィードウォンドが、シャフト、該シャフトに取り付けられて粉体床調製ゾーンと粉体床圧縮ゾーンに位置するらせん開放空間フレーム、および前記シャフトに取り付けられて粉体排出ゾーン内に位置する排出要素を含む、請求項１３に記載の粉体分注検知装置。
【請求項１９】
それぞれの粉体ディスペンサモジュールが、少なくとも１つのオリフィスを有して粉体取出口に隣接して配置されたオリフィス要素をさらに含み、排出要素が、導管の排出ゾーン内のフィードウォンドのシャフトに結合されたオーガを含み、該オーガが、らせん開放空間フレームに対して逆ピッチを有する、請求項１８に記載の粉体分注検知装置。
【請求項２０】
それぞれの粉体ディスペンサモジュールが、少なくとも１つのオリフィスを有して、粉体取出口に隣接して配置されたオリフィス要素をさらに含み、排出要素が、前記オリフィス要素に隣接して位置するローラーピン、および該ローラーピンとフィードウォンドのシャフトとの間に結合された支持部材を含み、ウォンドアクチュエータが、前記オリフィス要素に対して前記ローラーピンを回転させる、請求項１８に記載の粉体分注検知装置。
【請求項２１】
フィードウォンドが、該フィードウォンドのシャフトとオリフィス要素との間に配置されて排出要素と前記オリフィス要素との間隔を画定する、ベアリングをさらに含む、請求項１５、１７または１９に記載の粉体分注検知装置。
【請求項２２】
オリフィス要素が円錐オリフィス領域を含む、請求項１５、１７または１９に記載の粉体分注検知装置。
【請求項２３】
オリフィス要素が平坦オリフィス領域を含む、請求項１５、１６または２０に記載の粉体分注検知装置。
【請求項２４】
排出要素が、フィードウォンドのシャフトから延びる、らせん構成の第１および第２のスパーを含む、請求項１４または１８に記載の粉体分注検知装置。
【請求項２５】
フィードウォンドが、シャフト、該シャフトに取り付けられて、らせん状に配設された複数の離間配置されたスパー、および前記離間配置されたスパーの一部または全部の間に固定された１本または２本以上のワイヤを含む、請求項１２に記載の粉体分注検知装置。
【請求項２６】
１本または２本以上のワイヤが、その端部またはその近傍において離間配置されたスパーの一部または全部の間に、二重らせん構成で固定されたワイヤと、離間配置されたスパーの一部または全部の間に、二重シェブロン構成で固定されたワイヤとを含む、請求項２５に記載の粉体分注検知装置。
【請求項２７】
フィードウォンドが、バルブの近傍でシャフトに取り付けられた排出要素をさらに含む、請求項２５に記載の粉体分注検知装置。
【請求項２８】
粉体配送導管が、粉体取入口の下方の円筒部分、および該円筒部分の下方のテーパー付き部分を含む、請求項１１に記載の粉体分注検知装置。
【請求項２９】
粉体ディスペンサアセンブリが、垂直ポートの配列を有する配列ブロックを含み、粉体ディスペンサモジュールが前記配列ブロックの各々の垂直ポート内に装着されているとともに、前記配列ブロックが、前記粉体ディスペンサモジュールに粉体を配送するためのチャネルを含む、請求項８に記載の粉体分注検知装置。
【請求項３０】
粉体ディスペンサモジュールに、配列ブロック内のチャネルと位置合せされた粉体取入口が設けられ、粉体が、前記配列ブロック内のチャネルを通過して粉体ディスペンサモジュールの行に配送される、請求項２９に記載の粉体分注検知装置。
【請求項３１】
配列ブロック内の各チャネルが、ブロワーアセンブリに移送ガスを再循環させるために、配列ブロックを通過する、請求項３０に記載の粉体分注検知装置。
【請求項３２】
カートリッジトレイに対して、粉体ディスペンサモジュールを支える配列ブロックを移動させる、アクチュエータをさらに含む、請求項２９に記載の粉体分注検知装置。
【請求項３３】
カートリッジが各々のセンサセルによって支持されるように、カートリッジトレイを下方に移動させる、アクチュエータをさらに含む、請求項１に記載の粉体分注検知装置。
【請求項３４】
カートリッジトレイ内で、粉体ディスペンサアセンブリとセンサアセンブリとに位置合せして、第１および第２のバッチのカートリッジを逐次位置決めするようにカートリッジトレイを移動させる、トレイ位置決め機構をさらに含む、請求項１に記載の粉体分注検知装置。
【請求項３５】
カートリッジトレイ内のカートリッジを位置決めすること；
前記カートリッジトレイ内の１バッチのカートリッジ中に粉体を同時に分注すること；および
前記１バッチのカートリッジ内のそれぞれのカートリッジの充填状態を同時に検知することを含む、粉体を分注検知する方法。
【請求項３６】
各々の充填状態が所望の値に達したときに、それぞれのカートリッジ中への粉体の分注を終了することをさらに含む、請求項３５に記載の方法。
【請求項３７】
それぞれのカートリッジの充填状態を検知することが、それぞれのカートリッジを秤量することを含む、請求項３５に記載の方法。
【請求項３８】
１バッチのカートリッジの各々のカートリッジの検知された充填状態に応じて、それぞれのカートリッジ中への粉体の分注を制御することをさらに含む、請求項３５に記載の方法。